(57)【要約】本発明は、基地局位置遠隔入力を用いて、アクティブＧＰＳ受信器を操作する方法に関する。基地局位置情報を遠隔的にＧＰＳ受信器に入力することで、不十分な受信環境下であることが考えられる基地局の初期電源入力の時でさえ、ＧＰＳ受信器が普通にかつ高速で動作することができる。本発明は、電源が初期化され入力された後に、自分自身で内部起動状態を確認するステップと、通常ステートのときはＢＳＭに位置情報を要求するステップと、位置情報が要求された後に、その位置情報が受信されたときに、受信された位置情報によってアクション情報を設定するステップと、少なくとも一つの衛星信号が受信されたときは、従来の動作ステートに入るステップとを含む。加えて、その位置情報要求後に、位置情報がある設定時間以内に受信されなかったときは、位置情報の出力は自動的に初期化される。この位置情報は、四つ以上の衛星信号が受信されているか否かを確認することで、上記項目の四つ以上の衛星信号が受信されたときに、計算される。前記位置情報計算値は、規定された時間の間、蓄積される。蓄積時間が前記規定時間を超えたときは、アクションポジションが計算された位置情報に設定される。
2006521718.tif 000002
【特許請求の範囲】
【請求項１】
移動体通信システムにおいて基地局位置の遠隔入力に基づいてＧＰＳ受信器を操作するＧＰＳ受信器操作方法であって、
初期電源投入のときに、内部動作を自己確認するステップと、
そのＧＰＳ受信器が通常ステートのときに、基地局管理局（ＢＳＭ）に位置情報要求を行なうステップと、
前記位置情報要求の後、ある設定時間以内に、前記情報が受信されたときには、前記位置情報に従って、動作位置を設定するステップと、
少なくとも一つの衛星信号が受信されたときに通常動作ステートに入るステップと、
を含むことを特徴とするＧＰＳ受信器操作方法。
【請求項２】
請求項１に記載された方法において、前記設定時間がおおよそ１０秒であること、
を特徴とする方法。
【請求項３】
請求項１に記載の方法であって、更に、
前記位置情報要求後に、もう一つの設定時間以内に、前記位置情報が受信されなかったときは、前記位置情報の自己計算を開始するステップと、
少なくとも四つの衛星信号が受信されるか否かを確認するステップと、
少なくとも四つの衛星信号が受信されるときには、前記位置情報を計算するステップと、
あらかじめ決められた時間の間、その計算された位置情報を蓄積するステップと、
その蓄積する時間がそのあらかじめ決められた時間を超えたときは、その計算された位置情報に従ってその動作位置を設定するステップと、
を含むことを特徴とする方法。
【請求項４】
請求項３に記載の方法において、前記もう一つの設定時間がおおよそ１分であることを特徴とする方法。
【請求項５】
請求項１または３に記載の方法であって、更に、
前記動作位置設定の後で、位置情報要求信号が基地局管理局（ＢＳＭ）から受信されたときは、前記計算された位置情報をそのＢＳＭに送信するステップと、
ＧＰＳ受信器が再初期化されたときに、そのＢＳＭからその計算された位置情報を受信することで、迅速に通常動作ステートに入るステップと、
を含むことを特徴とする方法。
【発明の詳細な説明】
【技術分野】
【０００１】
本発明は、一般的に基地局位置の遠隔入力に基づいたＧＰＳ受信器の操作方法に関する。特に、基地局が初期電源投入されたときに、基地局上に基地局の位置情報を遠隔的に入力することを通じてＧＰＳ受信器を操作する方法に関連する。
【背景技術】
【０００２】
一般的に、従来型のＣＤＭＡ（Ｃｏｄｅ  Ｄｉｖｉｓｉｏｎ  Ｍｕｌｔｉｐｌｅ  Ａｃｃｅｓｓ）移動体通信システムは、正確な周波数を各基地局に送信するため、そして、更に、基地局の同期を確立するために、ＧＰＳ受信器を使用する。初期電源投入後に操作するために、通常、ＧＰＳ受信器は、少なくとも四つの衛星を受信する必要がある。
【０００３】
これは、ＧＰＳ受信器がその動作位置から衛星までの距離を計算するために必要だからである。そのような距離は、正確な時間情報を得るために、衛星からの信号に基づいて計算される必要がある。
【０００４】
したがって、一般的には、初期動作中は、四つの衛星信号が、四つの未知の量を得るために要求される。その四つの未知の量とは、位置に関係するもの（すなわち、緯度、経度および高度）と、ビジュアルインフォメーション（ｖｉｓｕａｌ  ｉｎｆｏｍａｔｉｏｎ）である。
【０００５】
しかし、従来型の基地局は、そのアンテナの位置やその他似たような問題で、しばしば不十分な衛星信号を受信することとなることがある。それ故、基地局が四つの衛星信号を受信するまでに、かなり長時間を要することとなる場合がある。そのため、基地局が通常動作モードに至るまでに、非常に長い時間を必要とすることがある。
【発明の開示】
【課題を解決するための手段】
【０００６】
本発明の第一義的な目的は、基地局位置の遠隔入力に基づいてＧＰＳ受信器を操作する方法を提供することである。これは、ＧＰＳ受信器に基地局の位置情報を遠隔的に入力することを介して、ＧＰＳ受信器が迅速かつ効率的にその通常動作モードで動作することができるようにするためである。特に、不十分な衛星受信を伴う基地局が、初期電源投入されるときに有効である。
【０００７】
上記目的を達成するために、移動体通信における基地局の位置の遠隔入力に基づいてＧＰＳ受信器を操作するための方法は、
電源が初期入力されたときに内部動作を確認する自己確認を行い、ＧＰＳのステータスが通常ステートであるときは、基地局管理局（ＢＳＭ）に位置情報を要求するステップと、
位置情報を要求した後に、設定時間以内にその情報が受信されたときは受信信号に従って、動作位置を設定し、そして、一つかそれ以上の衛星信号を受信したときは、通常動作ステートに入るステップと、
を含む。
【０００８】
前記設定時間は好ましくは約１０秒である。
【０００９】
上記方法は、更に、
位置情報が、位置情報要求後、もう一つの設定時間以内に、位置情報が受信されなかった場合に、その位置情報の自己計算を開始するステップと、
四つ以上の衛星信号が受信されるか否かを確認するステップと、
四つ以上の衛星信号が受信されるときは、位置情報を計算するステップと、
あらかじめ決められた時間の間は、計算された位置情報を蓄積し、蓄積時間がそのあらかじめ決められた時間を超えたときに、計算された位置情報に従って、動作位置を設定するステップと、
を含む。
【００１０】
前記もう一つの設定時間は、好ましくは約一分である。
【００１１】
本発明に従えば、遠隔的に基地局の位置情報をＧＰＳ受信器に入力することで、ＧＰＳ受信器が通常動作モードで動作するために要求された時間を短縮させることができる。
【発明を実施するための最良の形態】
【００１２】
記載された図を参照すると、前述した主題に従った本発明の好ましい実施形態が細部にわたって示されている。
【００１３】
図１は、本発明に従って構築された移動体通信システムを説明する概略図である。
【００１４】
参照番号１００は基地局（ＢＴＳ）を示し、参照番号１１０はＧＰＳ受信器を示している。ＧＰＳ受信器１１０は、ＧＰＳ時間に同期したＰＰ２Ｓ信号を基地局１００の同期信号として出力する。ＧＰＳ受信器１００は、衛星から受信した情報を使用し、そして、位置情報要求信号を基地局管理局３００へ送信する。これは、ＧＰＳ受信器が電源投入された後の初期動作のときに、ＨＤＬＣ通信を介して実行される。それから、その動作位置が、受信される位置情報を利用して決定される。従って、ＧＰＳ受信器は、通常動作モードに入り、迅速かつ効率的に動作することができる。
【００１５】
参照番号１２０は基地局制御プロセッサ（ＢＣＰ）を示している。ＢＣＰ１２０は、ＧＰＳ受信器１１０から送信された位置情報要求信号を制御局２００に送信する。ＢＣＰ１２０は、制御局２００を経由して、ＧＰＳ受信器１１０へ位置情報を送信することも行なう。
【００１６】
参照番号２００は制御局を示し、参照番号２１０は呼制御プロセッサ（ＣＣＰ）を示している。このＣＣＰ２１０は、基地局制御プロセッサ１２０から入力された位置情報要求信号を基地局管理局３００へ送信する。ＣＣＰ２１０は、基地局管理局３００から送信された位置情報を、基地局制御プロセッサ１２０へ送信することも行なう。
【００１７】
参照番号３００は基地局管理局（ＢＳＭ）を示しており、このＢＳＭは各基地局の位置情報を管理している。オペレータが対応する基地局の情報を正確に知っている場合は、ＢＳＭはその情報を手動で入力することで、基地局の情報を管理することができる。それ以外の場合は、ＢＳＭは対応する基地局の情報を、通常動作ステータスに入っているＧＰＳ受信器１１０から受信することができ、同様に管理することができる。更に、基地局１００のＧＰＳ受信器１１０が再起動され、位置情報要求信号をＧＰＳ受信器１１０からＢＳＭが受信したとき、ＢＳＭはその管理されている基地局の位置情報をそのＧＰＳ受信器１１０へ送信する。ＣＣＰ２１０および基地局制御プロセッサ１２０を通じて、これは行なわれる。
【００１８】
本発明に従って構成された移動体通信システムの一般的な動作を以下に示す。
【００１９】
ＧＰＳ受信器１１０は、初期動作の際に、その動作位置情報を基地局管理局３００に基地局制御プロセッサ１２０およびＣＣＰ２１０を通じて要求する。位置情報が基地局管理局３００から受信されたときに、ＧＰＳ受信器はその対応した位置で通常動作モードに入る。
【００２０】
しかし、その位置情報が基地局管理局３００から受信されなかったときは、ＧＰＳ受信器は四つ以上の衛星信号を受信することで動作位置を決定する。その後、ＧＰＳ受信器は、通常動作モードに入る。
【００２１】
図２は、本発明に従った基地局位置の遠隔入力に基づいたＧＰＳ受信器を操作する方法を示したフローチャートである。
【００２２】
図２に説明されているように、当該方法は、
ＧＰＳ受信器が初期電源投入時に、内部動作を自己確認し、そのステータスが通常ステートであるときは、位置情報を基地局管理局（ＢＳＭ）に要求するステップ（Ｓ１０２−Ｓ１１０）と、
位置情報を要求した後、ある設定時間内に、その情報が受信されたときは、受信情報に従って動作位置を設定し、一つかそれ以上の衛星信号を受信したときに通常動作ステートに入るステップ（Ｓ１１２−Ｓ１２０）と、
位置情報を要求した後、もう一つの設定時間以内に位置情報が受信されなかったときは、位置情報の自己計算を開始するステップ（Ｓ１２２−Ｓ１２４）と、
四つ以上の衛星信号が受信されるか否かをチェックするステップ（Ｓ１２６）と、
四つ以上の衛星信号が受信されるときは、位置情報を計算するステップ（Ｓ１２８）と、
あらかじめ決められた時間の間、計算されたその位置情報を蓄積し、蓄積時間があらかじめ決められた時間を超えた場合に、その計算された位置情報に従って動作位置を設定するステップ（Ｓ１３０−Ｓ１３２）と、
を含む。
【００２３】
本発明に従う基地局位置の遠隔入力に基づいてＧＰＳ受信器を操作する方法を説明する。
【００２４】
まず、Ｓ１０２で、ＧＰＳ受信器が初期電源投入され、Ｓ１０４で、ＧＰＳ受信器は内部動作の自己確認を行なう。例えば、メモリ試験が実行される。
【００２５】
その後、Ｓ１０６で、ＧＰＳ受信器のステータスが通常ステートか否かについて確認される。内部システムで不具合が生じた場合には、Ｓ１０８で、動作障害が報告される。
【００２６】
もし、前記ステータスが通常ステートかモードであれば、Ｓ１１０で、ＧＰＳ受信器は、位置情報要求を基地局管理局（ＢＳＭ）に要求する。
【００２７】
Ｓ１１２で、ある設定時間（すなわち、好ましくは約１０秒）の間、ＧＰＳ受信器はスタンバイモードとなる。Ｓ１１４で、ＧＰＳ受信器は、その設定時間後に、位置情報が受信されたか否かを確認する。
【００２８】
位置情報が受信されたときは、Ｓ１１６で、ＧＰＳ受信器は受信された情報に従って動作位置を設定する。Ｓ１１８で、一つかそれ以上の衛星信号が受信されたか否かをチェックする。
【００２９】
もし、一つかそれ以上の衛星信号が受信されたときは、Ｓ１２０で、ＧＰＳ受信器は通常動作モードに入る。
【００３０】
ここで述べられた本発明の方法に従うと、ＧＰＳが初期電源投入であるが、衛星信号が不十分に受信されたとしても、ＧＰＳ受信器は迅速にかつ効率的にその通常動作ステートに入る。
【００３１】
Ｓ１１４で、位置情報が受信されたか否かがチェックされる。もし、位置情報が受信されていなければ、Ｓ１２２で、ＧＰＳ受信器は、もう一つの設定時間（すなわち、おおよそ一分）以上の間、何らかの応答が存在しているか否か（すなわち、何らかの位置情報が受信されたか否か）を確認する。
【００３２】
もし、前記もう一方の設定時間以上経過していないときは、この手順はＳ１１２へ戻る。前記もう一方の設定時間以上経過した後に、応答が何らない場合には、Ｓ１２４で、ＧＰＳ受信器は位置情報を自己計算する。
【００３３】
Ｓ１２６で、四つ以上の衛星信号が受信されるか否かを確認する。四つ以上の信号が受信されないときは、この手順はＳ１２４へ戻り、位置情報計算動作が、継続して実行される。しかし、四つ以上の信号が受信されたときは、Ｓ１２８で、受信衛星信号を利用して、ＧＰＳ受信器は動作位置情報を計算する。
【００３４】
位置情報計算は、おおよそ一時間、実行される。Ｓ１３０で、ＧＰＳ受信器は計算が約一時間の間、実行されたか否かチェックする。もし、計算が一時間以上実行されたら、ＧＰＳ受信器は最終的な位置情報を、約一時間の間に計算された位置情報の平均によって推論する。Ｓ１３２で、推論された位置情報に従って、動作位置は設定される。Ｓ１２０で、ＧＰＳ受信器はその通常動作モードに入る。
【００３５】
もし、動作位置の設定の後に、位置情報要求信号がＢＳＭから受信されたときは、ＧＰＳ受信器は計算された位置情報をＢＳＭに送信する。ＢＳＭはこの情報を管理する。ＧＰＳ受信器１１０が、再初期化されたときは、計算された位置情報を管理しているＢＳＭは、その管理された情報を位置情報要求信号に応じて送信する。
【００３６】
ＢＳＭ管理者が正確な基地局の位置を知っている場合は、対応するＢＳＭ３００のフィールドに既知の情報を入力することで、その人がそのＢＳＴを操作することができる。ＢＳＭ管理者が正確な基地局の情報を知らないで、その基地局の中のＧＰＳ受信器が少なくとも一度動作されたことがあるときは、ＧＰＳ受信器１１０の再起動から通常ステータスに至るまでに要求される時間は短縮される。これは、位置情報が自動的に管理されるためである。
【図面の簡単な説明】
【００３７】
【図１】図１は、本発明の好ましい実施態様にしたがって構築された移動体通信システムの説明をする概略図である。
【図２】図２は、本発明の好ましい実施態様にしたがって基地局位置の遠隔入力に基づいてＧＰＳ受信器を操作する方法を説明するフローチャートである。
【図１】
2006521718.tif 000003
【図２】
2006521718.tif 000004
【国際調査報告】
2006521718.tif 000005
2006521718.tif 000006